(57)【特許請求の範囲】
【請求項１】
第１および第２の筐体と、
前記第１および第２の筐体が互いに重なり合うことができるように、前記第１および第２の筐体の端部を連結するヒンジ機構と、
少なくとも一部が、前記第１の筐体の前記第２の筐体と重なり合う面から突出するように前記第１の筐体に設けられ、光学的情報を前記第１の筐体の外部から入力する光学系と、
前記第１および第２の筐体を互いに重ね合わせたときに、前記光学系の突出している部位を収容するよう前記第２の筐体に設けられ、前記光学系を収容した状態で前記光学系を利用しての撮影を許容する収容部と、
カメラモード、テレビ電話モードのモード切替を行うモード切替部と
を備え、
テレビ電話モードが設定された場合に、前記第１の筐体を前記第２の筐体に対して起こした状態で前記光学系により取得された画像を送信し、
カメラモードが設定された場合に、前記第１の筐体を前記第２の筐体に重ね合わせた状態で前記光学系により取得された画像を記録することを特徴とするカメラ。
【請求項２】
前記収容部は、前記収容部に収容されている前記光学系を利用しての撮影を許容する開口を有することを特徴とする請求項１に記載のカメラ。
【請求項３】
前記収容部は、前記収容部に収容されている前記光学系を利用しての撮影を許容する透明部材を有することを特徴とする請求項１に記載のカメラ。
【請求項４】
前記透明部材は、コンバージョンレンズであることを特徴とする請求項３に記載のカメラ。
【請求項５】
無線による通話、および、前記光学系により取得された画像の送信を行える通信部と、前記第１の筐体に設けられ、前記通信部を介して取得された画像を表示する表示部とをさらに備えたことを特徴とする請求項１から請求項３のいずれかに記載のカメラ。
【請求項６】
前記表示部は、前記第１の筐体の、前記光学系と同じ面に設けられることを特徴とする請求項５に記載のカメラ。
【請求項７】
前記第２の筐体における前記第１の筐体と重なり合う面に設けられ、前記通話時に音声が入力される音声入力部
をさらに備えることを特徴とする請求項５に記載のカメラ。
【請求項８】
第１および第２の筐体と、
前記第１および第２の筐体が互いに重なり合うことができるように、前記第１および第２の筐体の端部を連結するヒンジ機構と、
光学的情報を前記第１の筐体の外部から入力する光学系と、
前記第２の筐体に設けられ、前記第１および第２の筐体を互いに重ね合わせたときに前記光学系を利用しての撮影を許容する開口部と、
前記開口部に設けられ、前記光学系を利用しての撮影を許容するコンバージョンレンズと
を備えることを特徴とするカメラ。
【請求項９】
前記コンバージョンレンズは、ワイドコンバージョンレンズであることを特徴とする請求項８に記載のカメラ。
【請求項１０】
前記光学系は、少なくとも一部が、前記第１の筐体の前記第２の筐体と重なり合う面から突出するように前記第１の筐体に設けられ、
前記開口部は、前記第１および第２の筐体を互いに重ね合わせたときに、前記光学系の突出している部位を収容するよう前記第２の筐体に設けられることを特徴とする請求項８に記載のカメラ。
【請求項１１】
受光面の縦方向幅と横方向幅とが実質的に等しく、前記光学系により結像された被写体の画像を電気信号に変換する撮像素子をさらに備えることを特徴とする請求項８に記載のカメラ。
【請求項１２】
無線による通話、および、前記光学系により取得された画像の送信を行える通信部と、前記第１の筐体に設けられ、前記通信部を介して取得された画像を表示する表示部とをさらに備えたことを特徴とする請求項８または請求項１１に記載のカメラ。
【請求項１３】
前記通話時に音声が入力される音声入力部をさらに備えることを特徴とする請求項１２に記載のカメラ。
【請求項１４】
前記第１の筐体の前記第２の筐体と重なり合う面から突出するように前記第１の筐体に設けられ、音声を出力する音声出力部と、
前記第１および第２の筐体を互いに重ね合わせたときに、前記音声出力部の突出している部位を収容するよう前記第２の筐体に設けられた収容部とをさらに備えることを特徴とする請求項８、請求項１１、請求項１２、および請求項１３のいずれかに記載のカメラ。
【請求項１５】
前記音声出力部は、前記光学系の光軸方向に前記光学系より突出していることを特徴とする請求項１４に記載のカメラ。
【請求項１６】
前記光学系を保持する鏡胴と、
前記鏡胴の近傍に配置され、前記鏡胴の先端より前記光学系の光軸方向に端部が突出している第１の位置と、前記鏡胴の先端より前記光軸方向に前記端部が後退している第２の位置とに配置できる移動部材とをさらに備えることを特徴とする請求項８、請求項１１、請求項１２、請求項１３、および請求項１４のいずれかに記載のカメラ。
【発明の詳細な説明】
【０００１】
【発明の属する技術分野】
本発明は、カメラに関する。特に本発明は、筐体から突出した情報入出力部の少なくとも一部を筐体内に収容できるカメラに関する。
【０００２】
【従来の技術】
近年、カメラは、急速に携帯性がよくなってきている。カメラは、画質を維持するために、ある程度の大きさの光学系を必要とする。そこで、沈胴式のコンパクトカメラなどは、不使用時に光学系を筐体内に収容して、光学系による出っ張りをなくすことで、携帯性を向上させている。しかし、この場合、沈胴機構そのものが、カメラの小型化の妨げになっていた。そこで、特開平１０−４５４０号公報および特開平１０−６５７８０号公報は、沈胴機構を用いない光学系の収容手段を開示している。
【０００３】
【発明が解決しようとする課題】
しかしながら、特開平１０−４５４０号公報に開示されている手段によると、レンズの光軸前方に回転可能な反射部を設ける必要があり、レンズ周辺の機構が複雑になる。また、特開平１０−６５７８０号公報に開示されている手段によると、ビデオカメラ部は、筐体に対して回転可能であり、この回転による配線等のねじれが、配線の切断を招く恐れがある。
【０００４】
そこで本発明は、上記の課題を解決することのできるカメラを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、第１および第２の筐体と、第１および第２の筐体が互いに重なり合うことができるように、第１および第２の筐体の端部を連結するヒンジ機構と、少なくとも一部が、第１の筐体から突出するように第１の筐体に設けられ、音響的情報又は光学的情報を第１の筐体の外部へ出力または外部から入力する情報入出力部と、第１および第２の筐体を互いに重ね合わせたときに、情報入出力部の突出している部位を収容するよう第２の筐体に設けられた収容部とを備える。
【０００６】
情報入出力部は、被写体を撮像するのに利用される光学系であってもよい。収容部は、収容部に収容されている光学系を利用しての撮影を許容する開口を有してもよい。収容部は、収容部に収容されている光学系を利用しての撮影を許容する透明部材を有してもよい。透明部材は、コンバージョンレンズであってもよい。受光面の縦方向幅と横方向幅とが実質的に等しく、光学系により結像された被写体の画像を電気信号に変換する撮像素子をさらに備えてもよい。
【０００７】
無線による通話、および、光学系により取得された画像の送信を行える通信部と、第１の筐体に設けられ、通信部を介して取得された画像を表示する表示部とをさらに備えてもよい。第２の筐体におけるヒンジ機構があるのと反対側の端部近傍に設けられ、通話時に音声が入力される音声入力部をさらに備えてもよい。
【０００８】
情報入出力部は、音声を出力する音声出力部であってもよい。音声出力部は、光学系の光軸方向に光学系より突出していてもよい。光学系を保持する鏡胴と、鏡胴の近傍に配置され、鏡胴の先端より光学系の光軸方向に端部が突出している第１の位置と、鏡胴の先端より光軸方向に端部が後退している第２の位置とに配置できる移動部材とをさらに備えてもよい。
【０００９】
なお上記の発明の概要は、本発明の必要な特徴の全てを列挙したものではなく、これらの特徴群のサブコンビネーションも又発明となりうる。
【００１０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１１】
図１は、本発明に係るカメラの一実施形態であるデジタルカメラ１０の構成を示す。このデジタルカメラ１０は、主に撮像ユニット２０、撮像制御ユニット４０、処理ユニット６０、表示ユニット１００、操作ユニット１１０、および通話ユニット１３０を含む。
【００１２】
撮像ユニット２０は、撮影および結像に関する機構部材および電気部材を含む。撮像ユニット２０はまず、映像を取り込んで処理を施す光学系２２、絞り２４、シャッタ２６、ＣＣＤ３０、および撮像信号処理部３２を含む。光学系２２は、光学的情報を外部から入力する情報入出力部の一例であり、フォーカスレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。本実施形態において、ＣＣＤ３０の受光面の縦方向幅と横方向幅は、実質的に等しい。したがって、デジタルカメラ１０を縦位置、横位置のいずれで構えて撮影を行っても、撮影される画像の縦横比が、ほぼ等しくなる。
【００１３】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００１４】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００１５】
撮像ユニット２０はさらに、ファインダ３４を有する。ファインダ３４には図示しないＬＣＤを内装してもよく、その場合、後述のメインＣＰＵ６２等からの各種情報をファインダ３４内に表示できる。
【００１６】
撮像制御ユニット４０は、フォーカス駆動部４４、絞り駆動部４６、シャッタ駆動部４８、それらを制御する撮像系ＣＰＵ５０、測距センサ５２、および測光センサ５４をもつ。フォーカス駆動部４４などの駆動部は、それぞれステッピングモータ等の駆動手段を有する。後述のレリーズスイッチ１１４の押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は撮像系ＣＰＵ５０へ送られる。撮像系ＣＰＵ５０は、ユーザから指示されたフォーカス位置等の撮影情報に基づき、フォーカス駆動部４４を制御して光学系２２のピントの調整を行う。
【００１７】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００１８】
ユーザが映像の取込を指示したとき、ＣＣＤ３０が電荷蓄積を開始し、測光データから計算されたシャッタ時間の経過後、蓄積電荷が撮像信号処理部３２へ出力される。
【００１９】
処理ユニット６０は、デジタルカメラ１０全体、とくに処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００２０】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、電話番号、通信相手情報、撮影日時、タイトル等の文字情報を発生し、この文字情報が適宜撮影画像に合成される。
【００２１】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０や通話ユニット１３０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００２２】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００２３】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００２４】
オプション装置制御部７４は、オプション装置７６に認められる信号仕様およびメインバス８２のバス仕様にしたがい、メインバス８２とオプション装置７６の間で必要な信号の生成、論理変換、または電圧変換などを行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００２５】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、カラオケ機、ゲーム機等の外部機器との間で独自のＩ／Ｆによるデータ授受を行う構成としてもよい。
【００２６】
表示ユニット１００は、画像を表示する表示部の一例としてＬＣＤモニタ１０２を有する。ＬＣＤモニタ１０２はＬＣＤドライバであるモニタドライバ１０６によって制御される。ＬＣＤモニタ１０２は、例えば２インチ程度の大きさで、現在の撮影や通話のモード、電話番号、電池残量、日時、モード設定のための画面、被写体画像、受信した画像などを表示する。
【００２７】
操作ユニット１１０は、ユーザがデジタルカメラ１０の動作やそのモードなどを設定または指示するために必要な機構および電気部材を含む。電源スイッチ１１２は、デジタルカメラ１０の電源のオンオフを決める。レリーズスイッチ１１４は、半押しと全押しの二段階押し込み構造になっている。一例として、半押しでＡＦおよびＡＥがロックし、全押しで撮影画像の取込が行われ、必要な信号処理、データ圧縮等の後、メインメモリ６８、オプション装置７６等に記録される。モード切替部１２０は、ボタンをスライドさせることにより、カメラモード、通話モード、テレビ電話モードのモード切替を行う。操作ユニット１１０はこれらのスイッチの他、回転式のモードダイヤルや十字キーなどによる設定を受け付けてもよく、それらは図１において機能設定部１１６と総称されている。操作ユニット１１０で指定できる動作または機能の例として、「ファイルフォーマット」、「特殊効果」、「印画」、「決定／保存」、「表示切換」等がある。
【００２８】
通話ユニット１３０は、無線による電話通話を行うための機構部材および電気部材を含む。通話ユニット１３０は、マイク１３２、スピーカ１３４、変復調回路１３６、および操作キー１３８を有する。マイク１３２は、通話時に音声が入力される音声入力部の一例である。スピーカ１３４は、音響的情報を外部へ出力する情報入出力部の一例である。変復調回路１３６は、マイク１３２によって電気信号に変換された音声や画像データ等を変調して電話会社の無線基地局へ電波で送信する。また、変復調回路１３６は、無線基地局から送信された電波を復調してスピーカ１３４やＬＣＤモニタ１０６へ出力する。通話ユニット１３０は、メインＣＰＵ６２によって制御される。メインＣＰＵ６２は、モード切替部１２０から通話モードまたはテレビ電話モードを実行すべき旨の信号を受けた場合に、通話ユニット１３０へ電源を供給し、通話ユニット１３０を始動させる。また、メインＣＰＵ６２は、変復調回路１３６の変調周波数、暗号化符号、及び信号の増幅率を設定又は調整する。操作キー１３８は、通話先の電話番号を入力するためのキー、および、オンフック／オフフックの操作を行うためのキーを含む。
【００２９】
以上の構成による主な動作は以下のとおりである。まずデジタルカメラ１０の電源スイッチ１１２がオンされ、カメラ各部に電力が供給される。メインＣＰＵ６２は、モード切替部１２０の状態を読み込むことで、デジタルカメラ１０がカメラモード、通話モード、テレビ電話モードのいずれであるかを判断する。
【００３０】
デジタルカメラ１０がカメラモードに設定されると、メインＣＰＵ６２はレリーズスイッチ１１４の半押し状態を監視する。半押し状態が検出されたとき、メインＣＰＵ６２は測光センサ５４および測距センサ５２からそれぞれ測光データと測距データを得る。得られたデータに基づいて撮像制御ユニット４０が動作し、光学系２２のピント、絞りなどの調整が行われる。つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、オプション装置制御部７４を経由してオプション装置７６へ記録される。ユーザは、後ほどＬＣＤモニタ１０２で撮影画像を見ることができる。以上で一連の撮影動作が完了する。
【００３１】
一方、デジタルカメラ１０が通話モードに設定されると、デジタルカメラ１０は、通話ユニット１３０を用いた通話を可能とする。ユーザが操作キー１３８を用いて通信相手の電話番号をダイヤルするか、通信相手からの呼び出し音が鳴っているときに操作キー１３６を操作すると、デジタルカメラ１０は、無線による通話を開始する。ユーザは、マイク１３２に音声を入力すると、マイク１３２は、入力された音声を音声データに変換する。変復調回路１３６は、変換された音声データを変調し、通信相手の端末に送信する。また、変復調回路１３６は、通信相手が送信した音声データを受信し、復調する。スピーカ１３４は、復調された音声データを音声に変換し出力する。
【００３２】
テレビ電話モードの場合、変復調回路１３６は、上記の他に、撮像ユニット２０が取得した画像データを変調し、通信相手の端末に送信する。また、変復調回路１３６は、通信相手から画像データを受信した場合、受信した画像データを復調し、表示ユニット１００に出力する。ＬＣＤモニタ１０２は、復調された画像データを、画像として表示する。
【００３３】
図２は、デジタルカメラ１０の斜視図である。デジタルカメラ１０は、スピーカ１３４が設けられたスピーカ側筐体２０２と、マイク１３２が設けられたマイク側筐体２０４を備える。スピーカ側筐体２０２とマイク側筐体２０４は、それぞれの端部において、ヒンジ機構２０６により、連結されている。従って、デジタルカメラ１０は、図２（ｂ）に示すように、スピーカ側筐体２０２をマイク側筐体２０４に重ね合わせるように閉じることもでき、また、図２（ａ）に示すように、スピーカ側筐体２０２をマイク側筐体２０４から離すようにヒンジ機構２０６の周りに回転移動させることで、開くこともできる。
【００３４】
図２（ａ）に示されているように、スピーカ側筐体２０２は、折り畳んだときにマイク側筐体２０４と重なり合う面に、音声を出力するスピーカ１３４、撮像用の光学系２２およびＬＣＤモニタ１０２を有する。光学系２２は、焦点距離等の理由から光軸方向にある程度の長さが必要である。このため、光学系２２は、スピーカ側筐体２０２から一部突出している。ＬＣＤモニタ１０２は、光学系２２と同じ面に設けられる。デジタルカメラ１０でテレビ電話モードによる通信を行う場合に、ユーザは、光学系２２の方向に顔をむけてユーザ自身を撮像しつつ、ＬＣＤモニタ１０２で受信した画像を見る必要があるからである。また、スピーカ側筐体２０２は、ヒンジ機構２０６と反対側の端部にアンテナ１４０を備える。
【００３５】
マイク側筐体２０４は、折り畳んだときにスピーカ側筐体２０２と重なり合う面に、操作キー１１６、マイク１３２、および収容部２０８を備える。また、図２（ｂ）に示されるように、マイク側筐体２０４は、操作キー１１６を設けた面の裏面に、モード切り替え部１２０を備える。
【００３６】
マイク１３２は、マイク側筐体２０４におけるヒンジ機構２０６の反対側の端部近傍に設けられている。より具体的には、マイク１３２は、マイク側筐体２０４におけるヒンジ機構２０６の反対側の端部と、収容部２０８との間の領域に設けられている。
【００３７】
収容部２０８は、光学系２２の突出している部位を収容することのできる凹部である。収容部２０８は、デジタルカメラ１０を閉じた場合に、光学系２２の突出している部位のほぼ全体を収容する。このため、スピーカ側筐体２０２とマイク側筐体２０４は、そのほぼ全面において互いに重なり合うことができる。図２（ａ）では図示されてないが、凹部の底部には、透明部材２８が備えられている。透明部材２８は、光学系２２を収容部２０８に収容した場合の光学系２２の光軸上に設けられており、透明部材２８は、光学系２２を収容部２０８に収容した状態で光学系２２を用いた撮像を許容する。本実施形態の場合、透明部材２８は、コンバージョンレンズである。
【００３８】
図３は、デジタルカメラ１０の縦断面の概略図である。本実施形態では、デジタルカメラ１０がテレビ電話モードのときには、点線で示すようにスピーカ側筐体２０２を起こして使用する。ユーザは、ＬＣＤモニタ１０２を見ながら通話を行う。このとき、同時に、撮像ユニット２０は、ユーザを撮像する。
【００３９】
一方、デジタルカメラ１０がカメラモードのときは、実線で示すようにデジタルカメラ１０を閉じて使用する。デジタルカメラ１０を閉じると、光学系２２は、収容部２０８に収容される。収容部２０８の底部は、透明部材２８を有するため、デジタルカメラ１０は、閉じた状態で、矢印の方向を撮像することができる。さらに、透明部材２８は、コンバージョンレンズであるため、光学系２２の焦点距離を変えることができる。例えば、光学系２２の光軸前方にワイドコンバージョンレンズ２８を設けた場合、光学系２２のみで撮像する場合より、広角で撮像することができる。
【００４０】
図４は、デジタルカメラ１０がカメラモードのときの使用形態を表わす。デジタルカメラ１０は、側面に、ファインダ３４とレリーズボタン１１４を備える。ユーザは、カメラモードの場合、デジタルカメラ１０をヒンジ機構２０６の回転軸を地面と略垂直にして構え、撮像することが多い。一方、テレビ電話モードの場合、図３で表わしたように、ヒンジ機構２０６の回転軸を地面と略水平にして構え、撮像することが多い。このように、カメラモード時とテレビ電話モード時とで、撮像素子３０の受光面を90度回転させて撮像することになる。そこで、図１の説明の中で述べたような受光面の縦方向幅と横方向幅とがほぼ等しい撮像素子を用いることにより、カメラモード時とテレビ電話モード時とで、同じ縦横比の画像を撮影することができる。
【００４１】
以上述べたように、本実施形態のカメラによれば、携帯時には、カメラを折り畳むことにより、突出した光学系を筐体内に収容することができる。そのため、突出した光学系を携帯中に破損させることはない。また、透明部材２８の一部としてコンバージョンレンズを用いることにより、カメラモード時とテレビ電話モード時とで、それぞれのモードに適した画角での撮影が可能になる。
【００４２】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００４３】
例えば、収容部２０８は、光学系２２を収容部２０８に収容した状態で光学系２２を用いた撮像を許容する開口であってもよい。
【００４４】
また、デジタルカメラ１０は、ユーザがスピーカ１３４に耳を当てて通話を行う場合に、光学系２２にユーザの耳や顔の一部が触れ、光学系２２を汚すことがないような構造に変更することもできる。
【００４５】
図５は、その様な変更を加えたデジタルカメラ１０の斜視図である。スピーカ１３４は、少なくとも一部が光学系２２の光軸方向に光学系２２よりも突出している。したがって、ユーザがスピーカ１３４に耳を当てると、スピーカ１３４がユーザの耳を光学系２２の前で支持し、ユーザの耳や顔の一部が直接光学系２２に触れることを防止する。なお、スピーカ１３４の突出する部位は、音声を出力する音声出力機構そのものでもよいし、その音声出力機構を保持する部位の一部であってもよい。
【００４６】
さらに、マイク側筐体２０４は、スピーカ側筐体２０２とマイク側筐体２０４を互いに重ね合わせたときに、図５（ａ）に示すように、スピーカ１３４の突出している部位を収容する端収容部２１２をさらに備える。スピーカを収容する収容部は、本実施形態では、マイク側筐体２０４の端部にある端収容部２１２であるが、必ずしも端部にある必要はない。図５（ｂ）に示すように、スピーカ側筐体２０２とマイク側筐体２０４を互いに重ね合わせると、突出したスピーカ１３４は、端収容部２１２に収まる。なお、この場合に、マイク１３２は、端収容部２１２に設けてもよい。
【００４７】
図６は、図５と異なる変更が加えられたデジタルカメラ１０の部分断面図である。図示の変更例では、デジタルカメラ１０は、光学系２２を保持する鏡胴２１４の近傍に、光学系２２の光軸方向に移動可能な移動部材２１６を備えている。移動部材２１６は、円筒状の形態を有し、図６の点線で示すように、鏡胴２１４の先端より移動部材２１６の端部が突出する第１の位置と、図６の実線で示すように、鏡胴２１４の先端より移動部材２１６の端部が後退する第２の位置とに配置できる。この変更例では、移動部材２１６を第１の位置に配置すれば、ユーザがスピーカ１３４を耳に当てて通話しようとした場合に、ユーザの耳等が光学系２２に触れることを防止できる。一方、デジタルカメラ１０をテレビ電話モードまたはカメラモードで使用する場合には、移動部材２１６を第２の位置に移動させることにより、移動部材２１６の先端部が光学系２２を用いて撮像された画像に写ってしまうことを防止できる。
【００４８】
【発明の効果】
上記説明から明らかなように、本発明によれば、カメラにおいて、光学系の少なくとも一部が筐体から突出している場合に、その突出している部位を筐体内に収容することができる。
【図面の簡単な説明】
【図１】本発明に係るカメラの一実施形態であるデジタルカメラ１０の構成を示す。
【図２】デジタルカメラ１０の斜視図である。
【図３】デジタルカメラ１０の縦断面の概略図である。
【図４】デジタルカメラ１０がカメラモードのときの使用形態を表わす。
【図５】突出しているスピーカ１３４を有するデジタルカメラ１０の斜視図である。
【図６】移動部材２１６を備えたデジタルカメラ１０の部分断面図である。
【符号の説明】
１０  デジタルカメラ
２０  撮像ユニット
２２  光学系
２８  透明部材
３０  ＣＣＤ
３４  ファインダ
１００  表示ユニット
１０２  ＬＣＤモニタ
１０６  モニタドライバ
１１０  操作ユニット
１１２  電源スイッチ
１１４  レリーズスイッチ
１１６  機能設定部
１２０  モード切替部
１３０  通話ユニット
１３２  マイク
１３４  スピーカ
１３６  変復調回路
１３８  操作キー
２０２  スピーカ側筐体
２０４  マイク側筐体
２０６  ヒンジ機構
２０８  収容部
２１２  端収容部
２１４  鏡胴
２１６  移動部材
【図１】
0003929696.tif 000002
【図２】
0003929696.tif 000003
【図３】
0003929696.tif 000004
【図４】
0003929696.tif 000005
【図５】
0003929696.tif 000006
【図６】
0003929696.tif 000007